(57)【要約】【課題】汎用性が高く経済的で、且つ牛への着脱作業とか大きさの変更作業における作業性が良好で、しかも装着状態において牛に与えるダメージが極めて少ない牛用面綱を提供する。【解決手段】綱２の中間部２ｃ寄りの二位置を帯体３の両端部３ａ、３ｂにそれぞれ固縛することで、該両端部３ａ、３ｂ間に位置する輪さ状の第１綱部２１と、該両端部３ａ、３ｂからそれぞれ外方へ延出する第２綱部２２及び第３綱部２３を形成し、第１綱部２１と帯体３の間に牛５０の鼻部５４を差し入れて該鼻部５４の上面側を帯体３で、下面側を第１綱部２１で、それぞれ支持する。係る構成によれば、例えば、綱を複雑に結んで牛用面綱１を形成する従来手法に比して、該牛用面綱１の製作に熟練性を要せず、その製作が容易となる。また、牛５１の鼻部５４の上面側が帯体３で支持されることから、牛５１に与えるダメージが少なく、牛５１に対する拘束性能と保護性能を両立させた牛用面綱１を提供できる。【選択図】図１
2010207203.tif 000002
【特許請求の範囲】
【請求項１】
所定長さをもつ可撓性の帯体（３）と、
所定長さの綱体（２）であって、その中間部（２ｃ）寄りにおいて離間する二位置が上記帯体（３）の両端部（３ａ）、（３ｂ）にそれぞれ固縛されることで、該両端部（３ａ）、（３ｂ）間に位置する輪さ状の第１綱部（２１）と、該両端部（３ａ）、（３ｂ）からそれぞれ外方へ延出する第２綱部（２２）と第３綱部（２３）を形成する綱体（２）を備え、
上記第１綱部（２１）と上記帯体（３）の間に牛（５１）の鼻部（５４）を差し入れて該鼻部（５４）の上面側を上記帯体（３）で、下面側を上記第１綱部（２１）でそれぞれ支持するとともに、上記第２綱部（２２）と第３綱部（２３）を牛（５１）の後頭部（５７）側で縛るように構成されたことを特徴とする牛用面綱。
【請求項２】
請求項１において、
上記帯体（３）の両端部（３ａ）、（３ｂ）にはそれぞれ複数の綱挿通穴（４１）、（４２）、（４３）が設けられ、上記綱体（２）は、上記帯体（３）の上記複数の綱挿通穴（４１）、（４２）、（４３）に挿通されることで上記両端部（３ａ）、（３ｂ）においてそれぞれ固縛されることを特徴とする牛用面綱。
【請求項３】
請求項１又は２において、
上記帯体（３）の表面には、牛（５０）に関する情報（５）が表示されていることを特徴とする牛用面綱。
【発明の詳細な説明】
【技術の分野】
【０００１】  本願発明は、畜産牛の頭部に装着して管理用綱の取付け等に使用される牛用面綱に関するものである。
【背景技術】
【０００２】  畜産牛は、牛舎内で飼育される牛も牧場で放牧される牛も、その管理を容易とするために、管理用綱によって拘引するのが通例である。この場合、管理用綱を結ぶために、牛の鼻隔壁部分に鼻環あるいは鼻木を取り付け、この鼻環等に管理用綱を結び付けるのが一般的であった。【０００３】  しかし、これら鼻環等は、牛の鼻隔壁部分を串刺しして取付けるものであるため、鼻隔壁の発達していない子牛には鼻環等を取付けることができず、このため、綱を格子状に結んで作った面綱を取付け、この面綱に対して、必要に応じて管理用綱を結びつけるようにしている。この面綱を用いる場合、一度装着したらいつまでもそのまま使用できるものではなく、子牛の頭部もその成長につれて大きくなるため、成長に合わせて面綱の大きさを変える必要がある。また、鼻環等を取付けることのできる成牛も、例えば、畜産市場での「競り」にかける場合等においては、鼻環等に代えて面綱が装着される。【０００４】  一方、この面綱９１は、図５に示すように、綱９２を二本並び状態で格子状に結んで作られる。そして、この面綱９１は、図６に示すように、牛５１の鼻部５４から下顎５５の部分に装着するとともに、その両端部分を側頭部５６から後頭部５７側へ引き出して結ぶことで、牛５１に取付けられる。【０００５】  ところが、綱９２を結んで上記面綱９１を作る場合における綱９２の結び方は特殊であり（即ち、使用中においては結び目が緩むことはなく、その一方、面綱９１の大きさの調整時等においては結び目を容易に緩めることができるような結び方）、これを作ることのできる人が少なくなり、その入手が難しくなりつつある。さらに、このように綱９２を結んで作られる面綱９１においては、当然のことながら幾つかの結び目９３〜９６ができるが、これらの結び目９３〜９６は、上記綱９２として比較的太い綱が用いられることから、比較的大きな球状に近い形状となる。このため、上記面綱９１を牛５１の頭部５２部分に取付けた場合、上記結び目９３〜９６が牛５１の皮膚に当たって擦られ、牛５１に無用の苦痛とストレスを与えることが考えられる。【０００６】  このような事情を背景として、例えば、特許文献１に示されるように、布ベルトとＤ環を組み合わせて形成される面綱（特許文献１では、「子牛おもて」と称している）が提案されている。【０００７】
【先行技術文献】
【特許文献】
【特許文献１】  特開２００４−１４１００６号公報
【発明の概要】
【発明が解決しようとする課題】
【０００８】  ところが、この特許文献１に示される面綱では、これを構成する布ベルトが専用材であって、汎用性が乏しいことから、この布ベルトが使用によって損傷したような場合、例えＤ環は未だ十分に使用に耐え得るとしても、該Ｄ環を含めた面綱全体の交換が必要となり、不経済である。【０００９】  また、Ｄ環は、その構造上、結合と解除の二つの作動形態を択一的に採らざるを得ないことから、例えば、面綱の大きさを変更するような場合には、全てのＤ環について、一旦、結合状態を解除し、調整後に再度結合しなければならず、変更調整作業が煩雑であるという問題もある。【００１０】  そこで本願発明は、汎用性が高く経済的で、且つ牛への着脱作業とか大きさの変更作業における作業性が良好で、しかも装着状態において牛に与えるダメージが極めて少ない牛用面綱を提供することを主たる目的としてなされたものである。
【課題を解決するための手段】
【００１１】  本発明ではかかる課題を解決するための具体的手段として次のような構成を採用している。【００１２】  本願の第１の発明に係る牛用面綱は、所定長さをもつ可撓性の帯体３と、所定長さの綱体２であって、中間部２ｃ寄りにおいて離間する二位置が上記帯体３の両端部３ａ、３ｂにそれぞれ固縛されることで、該両端部３ａ、３ｂ間に位置する輪さ状の第１綱部２１と、該両端部３ａ、３ｂからそれぞれ外方へ延出する第２綱部２２及び第３綱部２３を形成する綱体２を備え、上記第１綱部２１と上記帯体３の間に牛５１の鼻部５４を差し入れて該鼻部５４の上面側を上記帯体３で、下面側を上記第１綱部２１でそれぞれ支持するとともに、上記第２綱部２２と第３綱部２３を牛５１の後頭部５７側で縛るように構成されたことを特徴としている。【００１３】  本願の第２の発明に係る牛用面綱は、上記第１の発明に係る牛用面綱において、上記帯体３の両端部３ａ、３ｂにはそれぞれ複数の綱挿通穴４１、４２、４３が設けられ、上記綱体２は、上記帯体３の上記複数の綱挿通穴４１、４２、４３に挿通されることで上記両端部３ａ、３ｂにおいてそれぞれ固縛されることを特徴としている。【００１４】  本願の第３の発明に係る牛用面綱は、上記第１又は第２の発明に係る牛用面綱において、上記帯体３の表面に、牛５０に関する情報５が表示されていることを特徴としている。
【発明の効果】
【００１５】  （ａ）  本願の第１の発明に係る牛用面綱によれば、
（ａ−１）  所定長さをもつ可撓性の帯体３と、所定長さの綱体２で構成されることから、その構造が簡単であり、牛用面綱１をより安価に提供できる、
（ａ−２）  上記綱２の中間部２ｃ寄りにおいて離間する二位置を上記帯体３の両端部３ａ、３ｂにそれぞれ固縛することで、該両端部３ａ、３ｂ間に位置する輪さ状の第１綱部２１と、該両端部３ａ、３ｂからそれぞれ外方へ延出する第２綱部２２及び第３綱部２３が形成され、上記第１綱部２１と上記帯体３の間に牛５１の鼻部５４を差し入れて該鼻部５４の上面側を上記帯体３で、下面側を上記第１綱部２１で、それぞれ支持するとともに、上記第２綱部２２と第３綱部２３を牛５１の後頭部５７側で縛るように構成されているので、例えば、綱を複雑に結んで牛用面綱１を形成する従来手法に比して、該牛用面綱１の製作に熟練性を要せず、その製作が容易であって、更なる低コスト化が可能となる、
（ａ−３）  牛５１の鼻部５４の上面側が上記帯体３で支持されることから、例えば、この部分を綱２で支持するような場合に比して、牛５１に与えるダメージが少なく、その結果、牛５１に対する拘束性能と保護性能を両立させた牛用面綱１を提供できる、
等の効果が得られる。【００１６】  （ｂ）  本願の第２の発明に係る綱結合具によれば、上記（ａ）に記載の効果に加えて以下のような特有の効果が得られる。即ち、この発明では、上記帯体３の両端部３ａ、３ｂのそれぞれに複数の綱挿通穴４１、４２、４３が設けられ、上記綱体２は、上記帯体３の上記複数の綱挿通穴４１、４２、４３に挿通されることで上記両端部３ａ、３ｂにおいてそれぞれ固縛される構成であることから、
（ｂ−１）  例えば、従来のように綱同士を固縛して牛用面綱１を形成する場合に比して、固縛作業が簡易且つ容易であるとともに、固縛部分の品質が作業者の技量によって左右されること無く安定したものとなり、信頼性の高い牛用面綱１を提供できる、
（ｂ−２）  綱２を上記帯体３の上記綱挿通穴４１、４２、４３に挿通して固縛する構成であることから、その固縛位置の調整が容易であり、例えば、固縛位置を調整することで、同じ牛用面綱１を、頭部の大きな成牛から頭部の小さい子牛まで幅広く適用でき、その結果、汎用性の高い牛用面綱１を提供できる、
等の効果が得られる。【００１７】（ｃ）  本願の第３の発明に係る綱結合具によれば、上記（ａ）又は（ｂ）に記載の効果に加えて以下のような特有の効果が得られる。即ち、この発明では、上記帯体３の表面に、牛５０に関する情報５が表示されていることから、例えば、この表示された情報５を視認することで、牛５１の経済的な価値判断の基礎となる素性（例えば、牛５１の産地）等を的確且つ迅速に把握することができ、特に牛５１の市場取引における利便性が確保されることになる。
【図面の簡単な説明】
【００１８】
【図１】  本願発明の第１の実施形態に係る牛用面綱の全体図である。
【図２】  図１に示した牛用面綱の牛への装着状態を示す斜視図である。
【図３】  本願発明の第２の実施形態に係る牛用面綱の全体図である。
【図４】  図３に示した牛用面綱の牛への装着状態を示す斜視図である。
【図５】  従来の牛用面綱の構成を示す正面図である。
【図６】  図５に示した従来の牛用面綱を牛の頭部に装着した状態を示す斜視図である。
【発明を実施するための形態】
【００１９】  以下、本発明を好適な実施形態に基づいて具体的に説明する。
【００２０】  Ｉ：第１の実施形態
図１には本願発明の第１の実施形態に係る牛用面綱１の構造を示し、また図２には該牛用面綱１を牛５１の頭部５２に装着した状態を示している。
【００２１】  上記牛用面綱１は、図１に示すように、一つの帯体３と一本の綱２を備えて構成される。
【００２２】  上記帯体３は、適度の強度と弾性をもつ所定厚さの綿布とか化繊布を所定幅の帯状に成形して構成され、その左右両端部にはそれぞれ三個の綱挿通穴４１〜４３が設けられている。これら三個の綱挿通穴４１〜４３のうち、第１綱挿通穴４１と第２綱挿通穴４２は上記帯体３の短辺方向に離間して設けられ、また、上記第３綱挿通穴４３は、上記第１、第２綱挿通穴４１、４２よりも帯体長さ方向内側で且つ該第１、第２綱挿通穴４１、４２を底辺とする三角形の頂点に位置するようにして設けられている。尚、これら各綱挿通穴４１〜４３には、その強度確保のために、金属製のハトメが装着されている。
【００２３】  さらに、上記帯体３の表面には、例えば、この牛用面綱１を装着したこの牛は「讃岐牛である」ことを表示する情報５が記載されている。
【００２４】  上記綱２は、所定径の面縄あるいは化繊縄で構成され、二つ折の二本並び状態で用いられ、上記帯体３に組み付けられる。なお、上記綱２は、二本並び状態で用いられものに限定されるものではなく、一本状態あるいは三本並び以上の状態で用いることもできるものであり、以下においては、説明の便宜上、二本並び状態で用いられる綱２を一本の綱２として説明する。
【００２５】  ここで、上記綱２の上記帯体３に対する組付け方を説明する。上記綱２は、先ず、その長さ方向の中間部分２ｃに結び２４を設ける。この結び２４は、二本並び状態の綱２を結合してそのバラケを防止するためである。
【００２６】  そして、上記綱２の上記中間部分２ｃを上記帯体３の長さ方向略中央に位置させた状態で、その一端部２ａ側を上記帯体３の一端部３ａにおいて、その他端部２ｂ側を上記帯体３の他端部３ａにおいて、それぞれ固縛し、上記綱２と帯体３を一体化する。
【００２７】  即ち、上記綱２の一端部２ａ側においては、先ず、該一端部２ａを、上記帯体３の一方の端部３ａ側の上記第２綱挿通穴４２に対して上記帯体３の裏面側から表面側へ向けて挿通し、これを上記帯体３の表面側へ引き出したのち、さらにこれを上記帯体３の表面側から上記第１綱挿通穴４１を通して裏面側に引き出す。さらに、上記帯体３の裏面側へ引き出された上記綱２の一端部２ａを、該裏面側から上記第３綱挿通穴４３を通して表面側へ引き出した後、既に表面側において上記第１綱挿通穴４１と第２綱挿通穴４２の間に跨って存在している部分の下側を通して側方へ引き出す。この状態で、上記帯体３の端部３ａの表面側においては上記綱２が直交状に交差することになる。ここで、上記綱２の上記結び２４から上記帯体３の端部３ａまでの長さが所定長さとなるように長さ調整を行った後、該帯体３の一端部３ａ部分から二方向へ延出している部分同士を強く引いて該一端部３ａ部分において綱２を固縛する。
【００２８】  上記と同様手順で、上記綱２の他端部２ｂ側を、上記帯体３の他端部３ｂ部分において固縛する。
【００２９】  このようにして上記綱２を上記帯体３に組付けることで、図３に示すように、上記帯体３の両端部３ａ、３ｂから輪さ状に延びる第１綱部２１と、該帯体３の一端部３ａから引き出された第２綱部２２と、該帯体３の他端部３ｂから引き出された第３綱部２３とを備えた牛用面綱１が得られる。
【００３０】  上記牛用面綱１は、図２に示すように、上記帯体３と上記綱２の上記第１綱部２１の間に形成される環状部分に牛５１の鼻部５４を差し入れて該鼻部５４の上面側を上記帯体３で、下面側を上記綱２の第１綱部２１でそれぞれ支持するとともに、上記綱２の上記第２綱部２２と第３綱部２３をそれぞれ牛５１の側頭部５６に沿って後頭部５７側へ引き出して縛ることで、上記牛５１に装着される。
【００３１】  ＩＩ：第２の実施形態
図３には本願発明の第２の実施形態に係る牛用面綱１の単体状態を、図４には該牛用面綱１を牛５１の頭部５２に装着した状態を示している。
【００３２】  上記牛用面綱１は、上記第１の実施形態に係る牛用面綱１と基本構成を同じにするものであって、これと異なる点は、上記帯体３に対する上記綱２の固縛形態である。
【００３３】  即ち、上記第１の実施形態に係る牛用面綱１では、上記帯体３の両端部３ａ，３ｂにそれぞれ三個の綱挿通穴４１，４２，４３を設け、これら三個の綱挿通穴４１，４２，４３を利用して上記綱２を固縛するように構成していたのに対して、この第２の実施形態に係る牛用面綱１では、上記帯体３の両端部３ａ，３ｂにそれぞれ二個の綱挿通穴４１，４２を設け、これら二個の綱挿通穴４１，４２を利用して上記綱２を固縛するように構成した点である。
【００３４】  具体的には、図３に示すように、上記帯体３の両端部３ａ，３ｂに、上記第１綱挿通穴４１と第２綱挿通穴４２を該帯体３の長手方向に列設している。そして、上記綱２の一端部２ａ側においては、これを上記帯体３の一端部３ａ側の表面上を通して裏面側へ回り込ませ、該裏面側から上記第２綱挿通穴４２を通して表面側へ引き出した後、表面上に既に存在している綱２の上側を跨いで上記第１綱挿通穴４１に通して裏面側へ引き出すことで、該綱２の一端部２ａ側を固縛する。同様の手順で、上記綱２の他端部２ｂ側も上記帯体３の他端部３ｂ側において固縛する。これによって上記綱２と上記帯体３が一体化され、上記牛用面綱１が得られる。
【００３５】  この第２の実施形態に係る牛用面綱１は、上記帯体３に設ける第１綱挿通穴の数が二個であることから、三個の綱挿通穴を設ける上記第１の実施形態に係る牛用面綱１に比して、上記帯体３を小型化でき、且つ上記綱２の固縛作業も容易であり、延いては低コスト化が図れるという利点がある。
【００３６】  ＩＩＩ：作用効果
以上のように構成された上記各実施形態に係る牛用面綱１においては、以下のような特有の作用効果が得られる。
【００３７】  （１）上記牛用面綱１によれば、所定長さをもつ可撓性の帯体３と、所定長さの綱体２で構成されることから、その構造が簡単であり、より安価にこれを提供できる。
【００３８】  （２）上記綱２の中間部２ｃ寄りにおいて離間する二位置を上記帯体３の両端部３ａ、３ｂにそれぞれ固縛することで、該両端部３ａ、３ｂ間に位置する輪さ状の第１綱部２１と、該両端部３ａ、３ｂからそれぞれ外方へ延出する第２綱部２２及び第３綱部２３が形成され、上記第１綱部２１と上記帯体３の間に牛５１の鼻部５４を差し入れて該鼻部５４の上面側を上記帯体３で、下面側を上記第１綱部２１で、それぞれ支持するとともに、上記第２綱部２２と第３綱部２３を牛５１の後頭部５７側で縛るように構成されているので、例えば、綱を複雑に結んで牛用面綱１を形成する従来手法に比して、該牛用面綱１の製作に熟練性を要せず、その製作が容易であって、更なる低コスト化が可能となる。
【００３９】  （３）上記牛用面綱１の牛５１への装着状態においては、該牛５１の鼻部５４の上面側が上記帯体３で支持されることから、例えば、この部分を綱２で支持するような場合に比して、牛５１に与えるダメージが少なく、その結果、牛５１に対する拘束性能と保護性能を両立させた牛用面綱１を提供できる。
【００４０】  （４）上記帯体３の両端部３ａ、３ｂのそれぞれに複数の綱挿通穴４１、４２、４３が設けられ、上記綱体２は、上記帯体３の上記複数の綱挿通穴４１、４２、４３に挿通されることで上記両端部３ａ、３ｂにおいてそれぞれ固縛される構成であることから、例えば、従来のように綱同士を固縛して牛用面綱１を形成する場合に比して、固縛作業が簡易且つ容易であるとともに、固縛部分の品質が作業者の技量によって左右されること無く安定したものとなり、信頼性の高い牛用面綱１を提供できる。
【００４１】  （５）上記綱２を上記帯体３の上記綱挿通穴４１、４２、４３に挿通して固縛することから、その固縛位置の調整（即ち、上記綱２の上記第１綱部２１の長さ調整）が容易であり、この綱２の固縛位置を調整することで、同じ牛用面綱１を、頭部の大きな成牛から頭部の小さい子牛まで幅広く適用でき、その結果、汎用性の高い牛用面綱１を提供できる。
等の効果が得られる。
【００４２】（６）上記帯体３の表面に、牛５０に関する情報５が表示されていることから、例えば、この表示された情報５を視認することで、牛５１の経済的な価値判断の基礎となる素性（例えば、牛５１の産地）等を的確且つ迅速に把握することができ、特に牛５１の市場取引における利便性が確保される。
【符号の説明】    １      ・・牛用面綱
２      ・・綱
３      ・・帯体
５      ・・情報
２１      ・・第１綱部
２２      ・・第２綱部
２３      ・・第３綱部
４１〜４３・・綱挿通穴
５１      ・・牛
５２      ・・頭部
５４      ・・鼻部
５５      ・・下顎部
５６      ・・側頭部
５７      ・・後頭部
【図１】
2010207203.tif 000003
【図２】
2010207203.tif 000004
【図３】
2010207203.tif 000005
【図４】
2010207203.tif 000006
【図５】
2010207203.tif 000007
【図６】
2010207203.tif 000008